(57)【要約】      （修正有）【課題】効果的に生ごみの水切りを行うことができる生ごみ水切り器を提供する。【解決手段】生ごみ水切り器２６は、底壁３０及び側壁３２で内部空間３４を囲んで上方に開口する形状であり、基本形状から弾性変形可能に構成された容器本体２８と、容器本体２８から延びるフック５２と、を有する。側壁３２は、正面壁３６、背面壁３８、右側面壁４０及び左側面壁４２を含む。底壁３０は、水切り穴５０を有する。右側面壁４０及び左側面壁４２のそれぞれは、複数の水切り穴４８を有する。フック５２は、背面壁３８の後上方にある。【選択図】図３
0003229332.tif 000002
【実用新案登録請求の範囲】
【請求項１】
底壁及び側壁で内部空間を囲んで上方に開口する形状であり、基本形状から弾性変形可能に構成された容器本体と、
前記容器本体から延びるフックと、
を有し、
前記側壁は、正面壁、背面壁、右側面壁及び左側面壁を含み、
前記底壁は、水切り穴を有し、
前記右側面壁及び前記左側面壁のそれぞれは、複数の水切り穴を有し、
前記フックは、前記背面壁の後上方にあることを特徴とする生ごみ水切り器。
【請求項２】
請求項１に記載された生ごみ水切り器において、
前記内部空間の外側で前記背面壁に取り付けられた吸盤をさらに有することを特徴とする生ごみ水切り器。
【請求項３】
請求項１又は２に記載された生ごみ水切り器において、
前記基本形状で、前記正面壁及び前記背面壁の間隔は、前記右側面壁及び前記左側面壁の間隔よりも小さいことを特徴とする生ごみ水切り器。
【請求項４】
請求項１から３のいずれか１項に記載された生ごみ水切り器において、
前記基本形状で、前記正面壁及び前記背面壁は、平坦領域を有することを特徴とする生ごみ水切り器。
【請求項５】
請求項１から４のいずれか１項に記載された生ごみ水切り器において、
前記正面壁は、前記内部空間の外側に、摘み部を有することを特徴とする生ごみ水切り器。
【請求項６】
請求項１から５のいずれか１項に記載された生ごみ水切り器において、
前記正面壁及び前記背面壁は、貫通穴を有しないことを特徴とする生ごみ水切り器。
【請求項７】
請求項１から６のいずれか１項に記載された生ごみ水切り器において、
前記底壁の前記水切り穴は、前記複数の水切り穴のそれぞれよりも大きいことを特徴とする生ごみ水切り器。
【請求項８】
請求項１から７のいずれか１項に記載された生ごみ水切り器において、
前記フックは、前記背面壁の上端から後方に延びることを特徴とする生ごみ水切り器。
【考案の詳細な説明】
【技術分野】
【０００１】
本考案は、生ごみ水切り器に関する。
【背景技術】
【０００２】
清掃事業所では、生ごみの水切りを呼び掛けている。生ごみの水切りを行うことにより、燃やすごみを減らし、焼却のための時間を短縮し、余分な二酸化炭素と費用の発生を抑えることができる。生ごみを押して水切りを行う生ごみ容器は、これまでにも知られている（特許文献１）。
【先行技術文献】
【特許文献】
【０００３】
【特許文献１】特開２００２−１６７８３１号公報
【考案の概要】
【考案が解決しようとする課題】
【０００４】
特許文献１の生ごみ容器は、三角コーナーの一種であり、キッチンシンクの角部に置かれる。そのため、手で押さえようとしても力を入れにくいし、手が汚れるものであった。
【０００５】
本考案は、効果的に生ごみの水切りを行うことを目的とする。
【課題を解決するための手段】
【０００６】
（１）本考案に係る生ごみ水切り器は、底壁及び側壁で内部空間を囲んで上方に開口する形状であり、基本形状から弾性変形可能に構成された容器本体と、前記容器本体から延びるフックと、を有し、前記側壁は、正面壁、背面壁、右側面壁及び左側面壁を含み、前記底壁は、水切り穴を有し、前記右側面壁及び前記左側面壁のそれぞれは、複数の水切り穴を有し、前記フックは、前記背面壁の後上方にあることを特徴とする。
【０００７】
本考案によれば、流し台の手前側の縁部にフックを引っ掛けるだけで、生ごみ水切り器を配置することができ、効果的に生ごみの水切りを行うことができる。
【０００８】
（２）（１）に記載された生ごみ水切り器において、前記内部空間の外側で前記背面壁に取り付けられた吸盤をさらに有することを特徴としてもよい。
【０００９】
（３）（１）又は（２）に記載された生ごみ水切り器において、前記基本形状で、前記正面壁及び前記背面壁の間隔は、前記右側面壁及び前記左側面壁の間隔よりも小さいことを特徴としてもよい。
【００１０】
（４）（１）から（３）のいずれか１項に記載された生ごみ水切り器において、前記基本形状で、前記正面壁及び前記背面壁は、平坦領域を有することを特徴としてもよい。
【００１１】
（５）（１）から（４）のいずれか１項に記載された生ごみ水切り器において、前記正面壁は、前記内部空間の外側に、摘み部を有することを特徴としてもよい。
【００１２】
（６）（１）から（５）のいずれか１項に記載された生ごみ水切り器において、前記正面壁及び前記背面壁は、貫通穴を有しないことを特徴としてもよい。
【００１３】
（７）（１）から（６）のいずれか１項に記載された生ごみ水切り器において、前記底壁の前記水切り穴は、前記複数の水切り穴のそれぞれよりも大きいことを特徴としてもよい。
【００１４】
（８）（１）から（７）のいずれか１項に記載された生ごみ水切り器において、前記フックは、前記背面壁の上端から後方に延びることを特徴としてもよい。
【図面の簡単な説明】
【００１５】
【図１】生ごみ水切り器が取り付けられた流し台の概略図である。
【図２】ゴミ受けから取り出した生ごみを示す図である。
【図３】生ごみ水切り器の斜視図である。
【図４】生ごみ水切り器の側面図である。
【図５】生ごみ水切り器の背面図である。
【図６】生ごみ水切り器の使用方法を説明する図である。
【図７】生ごみ水切り器の使用方法を説明する図である。
【図８】生ごみ水切り器の使用方法を説明する図である。
【考案を実施するための形態】
【００１６】
以下、本考案の実施形態について図面を参照して説明する。図１は、生ごみ水切り器が取り付けられた流し台の概略図である。流し台１０（シンク）の排水口１２には、ゴミ受け１４があり、生ごみ１６を貯められるようになっている。ゴミ受け１４の下には、排水トラップ１８があり下水道の悪臭を遮断している。水栓２０（蛇口）から出た水は、ゴミ受け１４を通って排水ホース２２から排出される。
【００１７】
図２は、ゴミ受け１４から取り出した生ごみ１６を示す図である。ゴミ受け１４には、予め、水切りネット２４を取り付けてあり、水切りネット２４とともに生ごみ１６が取り出される。取り出された生ごみ１６は、水分を多く含んでいるので、図１に示す生ごみ水切り器２６を使用する。
【００１８】
図３は、生ごみ水切り器２６の斜視図である。図４は、生ごみ水切り器２６の側面図である。図５は、生ごみ水切り器２６の背面図である。
【００１９】
生ごみ水切り器２６は、容器本体２８を有する。容器本体２８は、例えばシリコーンゴムからなり、基本形状（元の形状）から弾性変形可能になっている。容器本体２８は、底壁３０及び側壁３２で内部空間３４を囲んで上方に開口する形状である。側壁３２は、正面壁３６、背面壁３８、右側面壁４０及び左側面壁４２を含む。右側面壁４０及び左側面壁４２は、対称的形状になっている。図１に示すように、背面壁３８の外面が流し台１０の手前側の内面に対向するように、容器本体２８は配置される。
【００２０】
基本形状で、正面壁３６及び背面壁３８の間隔は、右側面壁４０及び左側面壁４２の間隔よりも小さい。つまり、容器本体２８は、正面壁３６及び背面壁３８の方向につぶれた形状になっている。基本形状で、正面壁３６及び背面壁３８は、平坦領域４４を有する。正面壁３６は、内部空間３４の外側に、摘み部４６（例えば凸部）を有する。右側面壁４０及び左側面壁４２のそれぞれは、複数の水切り穴４８を有する。底壁３０は、水切り穴５０を有する。底壁３０の水切り穴５０は、複数の水切り穴４８のそれぞれよりも大きい。正面壁３６及び背面壁３８は、貫通穴を有しない。
【００２１】
生ごみ水切り器２６は、容器本体２８から延びるフック５２を有する。フック５２は、背面壁３８の後上方にある。フック５２は、背面壁３８の上端から後方に延びる。フック５２は、保持力を強化するために、容器本体２８とは別材料で形成するか、展延性を有して強度の高い材料（例えば金属）からなるコアを内部に有することが好ましい。図１に示すように、流し台１０の手前側の縁部にフック５２を引っ掛けることで、容器本体２８を吊り下げることができる。また、生ごみ水切り器２６は、内部空間３４の外側で背面壁３８に取り付けられた吸盤５４を有する。吸盤５４によって、容器本体２８を流し台１０の内面により強く吸着させることができる。
【００２２】
図６〜図８は、生ごみ水切り器２６の使用方法を説明する図である。ゴミ受け１４（図２）から取り出した生ごみ１６は、図６に示すように、生ごみ水切り器２６の内部空間３４に生ごみ１６を入れる。このとき、摘み部４６をつまんで引っ張ることで開口を大きくすれば、容器本体２８に生ごみ１６を入れやすくなる。
【００２３】
生ごみ水切り器２６は、図１に示すように、背面壁３８が流し台１０の内面に対向するように取り付けられている。そのため、図７に矢印で示すように、正面壁３６を手で押さえると、流し台１０の内面に対して生ごみ１６を圧縮することができる。手は直接ゴミに触れることないために清潔に処理出来る。これにより、生ごみ１６の水切りを十分に行うことができる。その後、図８に示すように、生ごみ１６を生ごみ水切り器２６から取り出して、収集日に適切に回収されるように処理する。
【００２４】
本実施形態によれば、流し台１０の手前側の縁部にフック５２を引っ掛けるだけで、生ごみ水切り器２６を配置することができ、効果的に生ごみ１６の水切りを行うことができる。
【００２５】
本考案は、上述した実施形態に限定されるものではなく種々の変形が可能である。例えば、実施形態で説明した構成は、実質的に同一の構成、同一の作用効果を奏する構成又は同一の目的を達成することができる構成で置き換えることができる。
【符号の説明】
【００２６】
１０  流し台、１２  排水口、１４  ゴミ受け、１６  生ごみ、１８  排水トラップ、２０  水栓、２２  排水ホース、２４  水切りネット、２６  生ごみ水切り器、２８  容器本体、３０  底壁、３２  側壁、３４  内部空間、３６  正面壁、３８  背面壁、４０  右側面壁、４２  左側面壁、４４  平坦領域、４６  摘み部、４８  水切り穴、５０  水切り穴、５２  フック、５４  吸盤。
【図１】
0003229332.tif 000003
【図２】
0003229332.tif 000004
【図３】
0003229332.tif 000005
【図４】
0003229332.tif 000006
【図５】
0003229332.tif 000007
【図６】
0003229332.tif 000008
【図７】
0003229332.tif 000009
【図８】
0003229332.tif 000010